(57)【要約】【課題】ファクシミリ通信するときの通信プロトコルを省略して通信時間を短縮する。【解決手段】システム制御部３２は送信側ファクシミリ装置と回線が接続したとき、送信側ファクシミリ装置の識別情報がシステムメモリ３３の通信履歴記憶領域４０に格納されているかどうかを検索し、送信側ファクシミリ装置の識別情報と同一の識別情報がない場合、ファクシミリ通信が終了したときに送信側ファクシミリ装置の識別情報と通信履歴情報を通信履歴記憶領域に格納する。送信側ファクシミリ装置の識別情報と同一の識別情報が通信履歴記憶領域４０にあるとき、通信履歴記憶領域４０に格納された通信履歴情報を参照して通信機能を決定して送信側ファクシミリ装置に伝える。【選択図】　　図４
2004104627.tif 000002
【特許請求の範囲】
【請求項１】
装置全体の処理を管理するシステム制御部と、送信側ファクシミリ装置の識別情報に関連して通信履歴情報を格納する通信履歴記憶部を有し、
システム制御部は送信側ファクシミリ装置と回線が接続したとき、送信側ファクシミリ装置の識別情報が通信履歴記憶部に格納されているかどうかを検索し、送信側ファクシミリ装置の識別情報と同一の識別情報がない場合、ファクシミリ通信が終了したときに送信側ファクシミリ装置の識別情報と通信履歴情報を通信履歴記憶部に格納し、送信側ファクシミリ装置の識別情報と同一の識別情報がある場合、通信履歴記憶部に格納された通信履歴情報を参照して送信側ファクシミリ装置に送る通信機能を決定して送信側ファクシミリ装置に伝えることを特徴とするファクシミリ装置。
【請求項２】
前記システム制御部は通信履歴記憶部に格納された通信履歴情報を通信経路の状況により、新しい通信履歴情報に更新する請求項１記載のファクシミリ装置。
【発明の詳細な説明】
【０００１】
【発明の属する技術分野】
この発明は、ファクシミリ通信するときの通信プロトコルを省略して通信時間を短縮するファクシミリ装置に関するものである。
【０００２】
【従来の技術】
【特許文献１】特開２０００−１８４１６６号公報
ファクシミリ装置で送信するとき、受信側ファクシミリ装置は回線に接続された後、受信側ファクシミリ装置が有する全機能を送信側ファクシミリ装置に伝える。送信側ファクシミリ装置は伝えられた機能の中から選択した機能を指定することにより送信側ファクシミリ装置の送信と受信側ファクシミリ装置の受信が決定される。
【０００３】
このファクシミリ送信するとき、受信側ファクシミリ装置の最大能力を発揮されるようにするため、特許文献１に示すように、受信側ファクシミリ装置の記録幅能力と解像度を送信側ファクシミリ装置で認識し、この最大能力に合致するように送信側ファクシミリ装置で記録幅と解像度を決定して送信するようにしている。
【０００４】
【発明が解決しようとする課題】
前記のようにファクシミリ送信するとき、送信側で受信側の機能を受信して受信側の最大能力を発揮するようにしているが、通信条件を決定するためには受信側が有する全機能を送信側に送信するとともに、送信側では受信側の最大能力を発揮できるように機能を選択する必要があり、通信プロトコルの交換のために時間がかかり、通信時間が長くなってしまうという短所がある。
【０００５】
この発明はかかる短所を改善し、ファクシミリ通信するときの通信プロトコルを省略して通信時間を短縮することができるとともに適切な通信条件でファクシミリ通信を行うことができるファクシミリ装置を提供することを目的とするものである。
【０００６】
【課題を解決するための手段】
この発明のファクシミリ装置は、装置全体の処理を管理するシステム制御部と、送信側ファクシミリ装置の識別情報に関連して通信履歴情報を格納する通信履歴記憶部を有し、システム制御部は送信側ファクシミリ装置と回線が接続したとき、送信側ファクシミリ装置の識別情報が通信履歴記憶部に格納されているかどうかを検索し、送信側ファクシミリ装置の識別情報と同一の識別情報がない場合、ファクシミリ通信が終了したときに送信側ファクシミリ装置の識別情報と通信履歴情報を通信履歴記憶部に格納し、送信側ファクシミリ装置の識別情報と同一の識別情報がある場合、通信履歴記憶部に格納された通信履歴情報を参照して送信側ファクシミリ装置に送る通信機能を決定して送信側ファクシミリ装置に伝えることを特徴とする。
【０００７】
システム制御部は通信履歴記憶部に格納された通信履歴情報を通信経路の状況により、新しい通信履歴情報に更新することが望ましい。
【０００８】
【発明の実施の形態】
図１はこの発明のファクシミリ装置の構成図である。図に示すように、ファクシミリ装置１は複写機能とプリンタ機能を有し、画像形成ユニット２の下部には記録紙を収納した２段の給紙カセット３ａ，３ｂが設けられ、画像形成ユニット２の上部には読取ユニット４を有する。給紙カセット３ａ，３ｂは給紙ローラ５ａ，５ｂを有し、給紙ローラ５ａ，５ｂにより給紙カセット３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と画像形成ユニット２の画像形成部９と定着部１０が配置されている。画像形成部９は、感光体１１と、感光体１１の周囲に配置された帯電チャージャ１２と現像装置１３と転写部１４及びクリーニングユニット１５と、レーザ光源やポリゴンミラー等が設けられ、感光体１１にレーザービームを照射して画像を書き込む書込ユニット１６を有する。
【０００９】
縦搬送経路６の下流端には排紙ローラ１７が設けられ、画像を形成した記録紙を排紙部１８に搬送する。また、縦搬送経路６の外側には、支軸１９を支点として回転方向に開閉可能な手差しトレイ２０が設けられている。画像形成ユニット２の側面で支軸１９の上部近傍には手差し給紙を行うための給紙口が設けられ、両面ユニット２１と共通に用いられる搬送経路である共通搬送経路２２が搬送ローラ８の上流側で縦搬送経路６と合流している。そして手差しトレイ２０を水平に開放したときに手差し給紙が可能となり、手差しトレイ２０にセットした記録紙は共通搬送経路２２から縦搬送経路６に搬送される。
【００１０】
給紙ユニット３ａ，３ｂあるいは手差しトレイ２０から給紙された記録紙は画像形成部９に搬送される。画像形成部９は、書込ユニット１６により感光体１１に書き込まれて形成された静電潜像を現像装置１３で現像し、現像した画像を転写部１４で記録紙に転写する。定着部１０は画像が転写された記録紙に熱及び圧力を加えて定着する。画像が定着された記録紙は排紙ローラ１７により排紙部１８に排出される。両面ユニット２１は装置本体２の外側部に設置され、記録紙の両面に画像を形成するときは、片面に画像を形成した記録紙を装置本体２の上部に設けた搬送ローラ２３によりスイッチバック経路２４に送り、スイッチバック経路２４から両面ユニット２１を介して再び縦搬送経路６に記録紙を搬送する。
【００１１】
このファクシミリ装置１の制御装置３１は、図２のブロック図に示すように、システム制御部３２とシステムメモリ３３と読出専用メモリ３４と回線制御部３５と信号発生部３６と画像メモリ３７及びエンジン制御部３８を有する。
【００１２】
システム制御部３２は装置全体の動作を制御するとともにファクシミリ伝送制御手順等を実行する。システムメモリ３３はシステム制御部３２が制御プログラムを実行するときに必要なデータを記憶したり、ワークエリアとして利用する。このシステムメモリ３３には、図３に示すように、以前にファクシミリ受信したときの送信側ファクシミリ装置の識別情報に関連付けて通信履歴情報を記憶する通信履歴記憶領域４０を有する。通信履歴情報としては、例えばモデム種別とデータレートと再送有無と通信結果等が格納される。読出専用メモリ３４は制御プログラムや各種制御データを記憶する。回線制御部３５は公衆回線網を介してファクシミリ通信を行う。信号発生部３６は読取ユニット４で読み取られ画像メモリ３７に格納された画像データを送信するとき、画像データを専用伝送フォーマットに組み立てる。
【００１３】
このファクシミリ装置１でファクシミリ受信したときの処理を、図４の通信手順を示すフローチャートを参照して説明する。
【００１４】
ファクシミリ装置１と送信側ファクシミリ装置の間で回線が接続され（ステップＳ１）、送信側ファクシミリ装置から識別情報が送られると（ステップＳ２）、ファクシミリ装置１のシステム制御部３２は、送られた識別情報によりシステムメモリ３３の通信履歴記憶領域４０を検索して、送られた識別情報と同一の識別情報があるかどうかを確認する（ステップＳ３）。この確認の結果、送られた識別情報と同一の識別情報がない場合、過去に受信したことがない新規のファクシミリ装置からの受信と判断し、ファクシミリ装置１の有する全機能を送信側ファクシミリ装置に通知する（ステップＳ４）。送信側ファクシミリ装置はファクシミリ装置１から全機能が送られると、それに従い通常の手順によりファクシミリ通信を行う（ステップＳ５）。このファクシミリ通信が終了したとき（ステップＳ６）、ファクシミリ装置１のシステム制御部３２は、送信側ファクシミリ装置の識別情報と通信履歴情報を通信履歴記憶領域４０に格納する（ステップＳ７）。
【００１５】
また、システムメモリ３３の通信履歴記憶領域４０に送られた識別情報と同一の識別情報がある場合は、通信履歴記憶領域４０に格納された通信履歴情報を参照して送信側ファクシミリ装置の送る通信機能を決定し、送信側ファクシミリ装置に伝える（ステップＳ８）。送信側ファクシミリ装置は送られたファクシミリ装置１の通信機能に基づいて送信条件を決定しファクシミリ通信を行う（ステップＳ９，Ｓ１０）。
【００１６】
このように過去に受信した送信側ファクシミリ装置の識別情報と通信履歴情報に基づいて送信側ファクシミリ装置に送る通信機能を決定して送信側ファクシミリ装置に伝え、送信側ファクシミリ装置は送られたファクシミリ装置１の通信機能に基づいて送信条件を決定すればよいから、通信プロトコルを省略することができ、通信時間を短縮することができる。
【００１７】
また、通信経路に変化があった場合、通信履歴情報として同一の通信レート、モデム種別にて再送無しで通信正常終了することが任意の回数繰り返されたとき、その識別情報の通信履歴情報をクリアして新規ファクシミリ装置からの受信と同一の処理を行う。このようにして通信経路状況に合わせた通信条件を速やかに決定することができ、通信経路に適した通信を行うことができる。
【００１８】
【発明の効果】
この発明は以上説明したように、受信した送信側ファクシミリ装置の識別情報と通信履歴情報に基づいて送信側ファクシミリ装置に送る通信機能を決定して送信側ファクシミリ装置に伝えるようにしたから、送信側ファクシミリ装置は送られた通信機能に基づいて送信条件を決定すれば良く、通信プロトコルを省略して通信時間を短縮することができる。
【００１９】
また、通信履歴情報を通信経路の状況により、新しい通信履歴情報に更新することにより、通信経路状況に合わせた通信条件を速やかに決定することができ、通信経路に適した通信を行うことができる。
【図面の簡単な説明】
【図１】この発明のファクシミリ装置の構成図である。
【図２】制御装置の構成を示すブロック図である。
【図３】通信履歴記憶領域の構成図である。
【図４】ファクシミリ受信したときの処理を示すフローチャートである。
【符号の説明】
１；ファクシミリ装置、２；画像形成ユニット、３；給紙カセット、
４；読取ユニット、３１；制御装置、２３；システム制御部、
３３；システムメモリ、３４；読出専用メモリ、３５；回線制御部、
３５；信号発生部、３６；画像メモリ、３７；エンジン制御部、
４０；通信履歴記憶領域。
【図１】
2004104627.tif 000003
【図２】
2004104627.tif 000004
【図３】
2004104627.tif 000005
【図４】
2004104627.tif 000006